(57)【特許請求の範囲】
【請求項１】
基礎枠体と、前記基礎枠体の上に組み付けられる複数段の枠体と、を備えた移動式足場台であって、
前記基礎枠体は、一対の第一支柱と、前記一対の第一支柱の上部同士と下部同士をそれぞれ接続した一対の長尺部材と、一対の第二支柱と、前記一対の第二支柱の上部同士と下部同士をそれぞれ接続した一対の長尺部材と、前記第一支柱と前記第二支柱の上部同士を接続した一対の短尺部材と、前記第一支柱と前記第二支柱の下部同士を接続した一対の短尺部材と、を有する略直方体状のフレーム体と、
前記第二支柱を軸心に回動可能に取り付けられ、前記第一支柱との間に前記第二支柱を挟む位置に配される第１の配置と、前記一対の第二支柱の間に配される第２の配置とに切り替え可能とされている一対の第三支柱と、を備え、
前記一対の第三支柱が、前記第１の配置にあるときに、前記基礎枠体の上に前記複数段の枠体が組み付け可能に構成され、少なくとも前記一対の第一支柱と前記一対の第三支柱の下端部にそれぞれ車輪が取り付けられており、
前記一対の第三支柱が、前記第２の配置にあるときに、前記複数段の枠体を分解した複数のパーツが、前記第一支柱と前記第二支柱の上部同士を接続した２本の長尺部材と２本の短尺部材の間を通す向きに前記フレーム体の内側に収容可能に構成され、少なくとも前記一対の第一支柱と前記一対の第二支柱の下端部にそれぞれ車輪が取り付けられていることを特徴とする移動式足場台。
【請求項２】
前記一対の第三支柱が前記第２の配置にあるとき、前記複数のパーツに含まれている床板材が、前記第一支柱と前記第二支柱の下部同士を接続した一対の短尺部材間に架け渡されて設置可能に構成されていることを特徴とする請求項１に記載の移動式足場台。
【請求項３】
前記フレーム体における前記長尺部材のうち、前記第一支柱と前記第二支柱の下部同士を接続した長尺部材には、前記フレーム体に収容し、前記床板材の上面に載せられた前記複数のパーツが前記フレーム体の外に移動するのを規制する係止部材が固設されていることを特徴とする請求項２に記載の移動式足場台。
【請求項４】
前記車輪は、前記第一支柱および前記第二支柱および前記第三支柱の下端部に着脱可能に取り付けられていることを特徴とする請求項１〜３の何れか一項に記載の移動式足場台。
【発明の詳細な説明】
【技術分野】
【０００１】
本発明は、天井などの内装工事に利用される移動式の足場台に関し、運搬性を高めた移動式足場台に関する。
【背景技術】
【０００２】
従来、天井などの内装工事を行う際、ローリングタワーなどの足場台を作業現場に設置して使用する。
嵩高い足場台を作業現場に運搬し易くするため、基礎枠体上に組み付けられている複数段の枠体を折り畳んで、その嵩を低くすることを可能にした折り畳み式足場台が知られている（例えば、特許文献１参照。）。
この折り畳み式足場台の基礎枠体には車輪が設けられているので、折り畳んで高さ方向に小さくした足場台をスムーズに移動させることができる。
【先行技術文献】
【特許文献】
【０００３】
【特許文献１】実公平６−３６１６７号公報
【発明の概要】
【発明が解決しようとする課題】
【０００４】
しかしながら、上記特許文献１の折り畳み式足場台の場合、高さ方向に小さく変形できるものの基礎枠体は変形せず、幅方向には小さくならないので、狭隘な通路を移動できないことがある。
また、折り畳んだ足場台の姿勢を変えて、狭隘な通路を移動させようとしても、複数段の枠体が基礎枠体と一体になっている足場台は重量物であり、作業員が持ち上げて運ぶことは困難であった。
【０００５】
本発明の目的は、運搬性に優れた移動式足場台を提供することである。
【課題を解決するための手段】
【０００６】
上記目的を達成するため、この発明は、
基礎枠体（１００）と、前記基礎枠体（１００）の上に組み付けられる複数段の枠体（２００，３００，４００）と、を備えた移動式足場台（１）であって、
前記基礎枠体（１００）は、一対の第一支柱（１０）と、前記一対の第一支柱（１０）の上部同士と下部同士をそれぞれ接続した一対の長尺部材（１１）と、一対の第二支柱（２０）と、前記一対の第二支柱（２０）の上部同士と下部同士をそれぞれ接続した一対の長尺部材（２１）と、前記第一支柱（１０）と前記第二支柱（２０）の上部同士を接続した一対の短尺部材（１２ａ）と、前記第一支柱（１０）と前記第二支柱（２０）の下部同士を接続した一対の短尺部材（１２ｂ）と、を有する略直方体状のフレーム体（１０１）と、
前記第二支柱（２０）を軸心に回動可能に取り付けられ、前記第一支柱（１０）との間に前記第二支柱（２０）を挟む位置に配される第１の配置（例えば、図２に示す配置）と、前記一対の第二支柱（２０）の間に配される第２の配置（例えば、図３に示す配置）とに切り替え可能とされている一対の第三支柱（３０）と、を備え、
前記一対の第三支柱（３０）が、前記第１の配置（例えば、図２に示す配置）にあるときに、前記基礎枠体（１００）の上に前記複数段の枠体（２００，３００，４００）が組み付け可能に構成され、少なくとも前記一対の第一支柱（１０）と前記一対の第三支柱（３０）の下端部にそれぞれ車輪（６０）が取り付けられており、
前記一対の第三支柱（３０）が、前記第２の配置（例えば、図３に示す配置）にあるときに、前記複数段の枠体（２００，３００，４００）を分解した複数のパーツ（Ｐ）が、前記第一支柱（１０）と前記第二支柱（２０）の上部同士を接続した２本の長尺部材（１１，２１）と２本の短尺部材（１２ａ）の間を通す向きに前記フレーム体（１０１）の内側に収容可能に構成され、少なくとも前記一対の第一支柱（１０）と前記一対の第二支柱（２０）の下端部にそれぞれ車輪（６０）が取り付けられているようにした。
【０００７】
かかる構成の移動式足場台（１）は、略直方体状のフレーム体（１０１）と、そのフレーム体（１０１）の第二支柱（２０）に回動可能に取り付けられた第三支柱（３０）を有する基礎枠体（１００）を備えており、この第三支柱（３０）は、第一支柱（１０）との間に第二支柱（２０）を挟む位置に配される第１の配置（例えば、図２に示す配置）と、一対の第二支柱（２０）の間に配される第２の配置（例えば、図３に示す配置）とに切り替え可能とされている。
そして、一対の第三支柱（３０）が第１の配置（例えば、図２に示す配置）にあるとき、基礎枠体（１００）は幅方向に大きな形体に変形し、少なくとも一対の第一支柱（１０）と一対の第三支柱（３０）の下端部に車輪（６０）が取り付けられている。このとき、基礎枠体（１００）の上に複数段の枠体（２００，３００，４００）が組み付け可能に構成されているので、所定の作業現場で基礎枠体（１００）の上に複数段の枠体（２００，３００，４００）を組み付けて、移動式足場台（１）を組み立てて使用することができる。
また、一対の第三支柱（３０）が第２の配置（例えば、図３に示す配置）にあるとき、基礎枠体（１００）は幅方向に小さな形体に変形し、少なくとも一対の第一支柱（１０）と一対の第二支柱（２０）の下端部に車輪（６０）が取り付けられている。このとき、複数段の枠体（２００，３００，４００）を分解した複数のパーツ（Ｐ）を上から入れ込むようにフレーム体（１０１）の内側に収容可能に構成されているので、複数のパーツ（Ｐ）を積んだ基礎枠体（１００）を作業現場まで移動させることができる。
特に、基礎枠体（１００）は幅方向に小さく変形しているので、狭隘な通路であっても好適に移動することができる。
なお、フレーム体の内側に複数のパーツを収容する場合、フレーム体の底面部に底板となる部材を設置している。
【０００８】
このように、移動式足場台は幅方向に大きな形状と小さな形状に変形することができる基礎枠体を備えており、幅方向に小さく変形した基礎枠体に枠体を分解した複数のパーツを収容して所定の作業現場まで移動させることができ、その作業現場で幅方向に大きく変形した基礎枠体上に複数の枠体を組み付けて移動式足場台を組み立てることができるので、運搬性に優れた移動式足場台として好適に使用することができる。
【０００９】
また、望ましくは、
前記一対の第三支柱（３０）が前記第２の配置にあるとき、前記複数のパーツに含まれている床板材（９０）が、前記第一支柱（１０）と前記第二支柱（２０）の下部同士を接続した一対の短尺部材（１２ｂ）間に架け渡されて設置可能に構成されているようにする。
【００１０】
枠体を分解した複数のパーツに含まれている床板材を、第一支柱と第二支柱の下部同士を接続した一対の短尺部材間に設置して底板とすれば、底板用部材を別途用意するよりも部品点数を削減することができ、その分の重量を軽減することができる。
【００１１】
また、望ましくは、
前記フレーム体（１０１）における前記長尺部材のうち、前記第一支柱（１０）と前記第二支柱（２０）の下部同士を接続した長尺部材（１１，２１）には、前記フレーム体（１０１）に収容し、前記床板材（９０）の上面に載せられた前記複数のパーツ（Ｐ）が前記フレーム体（１０１）の外に移動するのを規制する係止部材（４０）が固設されているようにする。
【００１２】
第一支柱と第二支柱の下部同士を接続した長尺部材に、フレーム体に収容して床板材の上面に載せられた複数のパーツがフレーム体の外に移動するのを規制する係止部材が固設されていれば、床板材上に載置したパーツが滑るなどして姿勢を崩すことがあっても、パーツがフレーム体の外に飛び出すことはないので、複数のパーツを積んだ基礎枠体を作業現場まで好適に移動させることができる。
【００１３】
また、望ましくは、
前記車輪は、前記第一支柱および前記第二支柱および前記第三支柱の下端部に着脱可能に取り付けられているようにする。
こうすることで、４つの車輪があれば４本の支柱に適宜付け替えて使用することができる。
また、常に６つの車輪を基礎枠体に取り付けておくよりも軽量化することができる。
【発明の効果】
【００１４】
本発明によれば、運搬性に優れた移動式足場台が得られる。
【図面の簡単な説明】
【００１５】
【図１】本実施形態の移動式足場台を示す斜視図である。
【図２】本実施形態の移動式足場台の基礎枠体を示す斜視図であり、一対の第三支柱が第１の配置にあって幅方向に大きな形体に変形した状態を示している。
【図３】本実施形態の移動式足場台の基礎枠体を示す斜視図であり、一対の第三支柱が第２の配置にあって幅方向に小さな形体に変形した状態を示している。
【図４】幅方向に小さく変形した基礎枠体に底板として床板材を取り付けた状態を示す斜視図である。
【図５】幅方向に小さく変形した基礎枠体に複数のパーツを積んで移動可能とした状態を示す斜視図である。
【発明を実施するための形態】
【００１６】
以下、図面を参照して、本発明に係る移動式足場台の実施形態について詳細に説明する。但し、以下に述べる実施形態には、本発明を実施するために技術的に好ましい種々の限定が付されているが、本発明の範囲を以下の実施形態及び図示例に限定するものではない。
【００１７】
移動式足場台１は、例えば、図１に示すように、天井などの内装工事を行う際に作業現場に設置して使用する作業台であり、基礎枠体１００と、基礎枠体１００の上に組み付けられる複数段の枠体２００，３００，４００とを備えている。
本実施形態の移動式足場台１は、１段目の基礎枠体１００の上に２段目の枠体２００が組み付けられ、更に、３段目の枠体３００、４段目の枠体４００が組み付けられている。
なお、各枠体２００，３００，４００は、従来公知の床板材９０、はしご枠や手摺枠やＸブレス、階段などの複数のパーツを所定位置に組み付け、それらパーツを接続して組み立てられている。
また、移動式足場台１には、その姿勢を安定させるため、従来公知のアウトリガー（図示省略）を取り付けることが可能になっている。
なお、各枠体２００，３００，４００を構成する各パーツは金属製であり、例えばアルミ合金製である。
【００１８】
基礎枠体１００は、図２、図３に示すように、一対の第一支柱１０と、一対の第一支柱１０の上部同士と下部同士をそれぞれ接続した一対の長尺部材１１と、一対の第二支柱２０と、一対の第二支柱２０の上部同士と下部同士をそれぞれ接続した一対の長尺部材２１と、第一支柱１０と第二支柱２０の上部同士を接続した一対の短尺部材１２ａと、第一支柱１０と第二支柱２０の下部同士を接続した一対の短尺部材１２ｂと、を有する略直方体状のフレーム体１０１と、第二支柱２０を軸心に回動可能に取り付けられている一対の第三支柱３０と、を備えている。
具体的に、第三支柱３０は、略「工」字形状を呈する可動部材３１の一端部に固定されており、可動部材３１の他端部が第二支柱２０に軸着されている。
【００１９】
また、フレーム体１０１における第一支柱１０と第二支柱２０の下部同士を接続した長尺部材１１，２１には、それぞれ断面視Ｌ字形状を呈する係止部材４０が固設されている。
また、フレーム体１０１における一対の第二支柱２０と、その第二支柱２０の上部同士を接続した長尺部材２１の間には、斜めに架け渡したブレース材５０が固設されている。このブレース材５０は、フレーム体１０１（基礎枠体１００）の補強材として機能する。
なお、基礎枠体１００を構成する支柱、長尺部材、短尺部材などの各部材は金属製であり、例えばアルミ合金製の部材である。
【００２０】
この基礎枠体１００のフレーム体１０１（第二支柱２０）に回動可能に取り付けられている第三支柱３０は、第一支柱１０との間に第二支柱２０を挟む位置に配される第１の配置（図２参照）と、一対の第二支柱２０の間に配される第２の配置（図３参照）とに切り替え可能になっている。
なお、ここでいう第１の配置とは、短尺部材１２ａ、１２ｂの延在方向に沿って、第一支柱１０と第二支柱２０と第三支柱３０が順に並ぶ配置のことである。
【００２１】
そして、図２に示すように、一対の第三支柱３０が第１の配置にあるときに、一対の第一支柱１０と一対の第三支柱３０の下端部に車輪６０が着脱可能に取り付けられており、この基礎枠体１００の上に複数段の枠体（２００，３００，４００）を組み付けることができる。
ここで、一対の第三支柱３０が第１の配置にあるとき、第一支柱１０と第三支柱３０の間の寸法は、例えば１５２４［ｍｍ］である。また、対を成す第一支柱１０間（第二支柱２０間）の寸法は、例えば１８３０［ｍｍ］であり、この方向に沿うフレーム体１０１の長手方向の寸法は、例えば１８８７［ｍｍ］である。
なお、図１に示すように、基礎枠体１０の上に複数段の枠体（２００，３００，４００）を組み付ける場合、車輪６０が転動しないようにストッパーをかけるようになっている。
【００２２】
また、図３に示すように、一対の第三支柱３０が第２の配置にあるときに、一対の第一支柱１０と一対の第二支柱２０の下端部に車輪６０が着脱可能に取り付けられており、この基礎枠体１００のフレーム体１０１の内側に、複数段の枠体（２００，３００，４００）を分解した複数のパーツを収容することができる。
ここで、一対の第三支柱３０が第２の配置にあるとき、第一支柱１０と第二支柱２０の間の寸法は、例えば６４０［ｍｍ］であり、この方向に沿うフレーム体１０１の短手方向の寸法は、例えば６９７［ｍｍ］である。このように、一対の第三支柱３０が第２の配置にあるように変形された基礎枠体１００は、第１の配置の基礎枠体１００に比べて幅方向に小さく、約半分のサイズになっている。
なお、フレーム体１０１の内側に複数のパーツを収容する場合、フレーム体１０１の底面部（ここでは、第一支柱１０と第二支柱２０の下部同士を接続した２本の長尺部材１１、２１と２本の短尺部材１２ｂ、１２ｂを含む面とほぼ同じ面）に底板となる部材を設置する。
【００２３】
具体的には、図４に示すように、枠体を分解した複数のパーツに含まれている床板材９０を、第一支柱１０と第二支柱２０の下部同士を接続した一対の短尺部材１２ｂ、１２ｂ間に架け渡して設置し、底板とした。こうすることで、底板用部材を別途用意するよりも部品点数を削減することができ、その分の重量を軽減することができる。
また、一対の第三支柱３０が第２の配置にあるとき、一対の第二支柱２０間の長尺部材２１に可動部材３１をベルト材Ｂで拘束して、一対の第三支柱３０を仮固定している。
【００２４】
そして、図５に示すように、第一支柱１０と第二支柱２０の上部同士を接続した２本の長尺部材１１、２１と２本の短尺部材１２ａ、１２ａの間を通す向きに、枠体を分解した複数のパーツＰをフレーム体１０１に入れ込むようにして、フレーム体１０１の内側に複数のパーツＰを収容することができる。
特に、フレーム体１０１における第一支柱１０と第二支柱２０の下部同士を接続した長尺部材１１，２１には、フレーム体１０１に収容して床板材９０の上面に載せられたパーツＰがフレーム体１０１の外に移動するのを規制する係止部材４０が固設されているので、底板とした床板材９０上に載置したパーツＰが滑るなどして姿勢を崩すことがあっても、フレーム体１０１の外に飛び出すことはない。
なお、図５において、枠体を分解した全てのパーツＰの図示は省略しているが、基礎枠体１００のフレーム体１０１には、複数段の枠体（２００，３００，４００）を分解した全てのパーツＰを収容することが可能になっている。
【００２５】
次に、本実施形態の移動式足場台１を使用する態様について説明する。
【００２６】
未使用時の移動式足場台１は、所定の収納庫に収納されている。
この未使用時の移動式足場台１を所定の収納庫に収納する場合、基礎枠体１００は、一対の第三支柱３０が第２の配置にあるように変形されており、例えば、図５に示すように、枠体を分解した複数のパーツＰをフレーム体１０１の内側に収容している。
このように、幅方向に小さな形体に変形した基礎枠体１００であれば、収納スペースが比較的狭くても収納し易くなるので、この移動式足場台１は収納性に優れている。
【００２７】
そして、この移動式足場台１を使用する場合、図５に示すように、枠体を分解した複数のパーツＰをフレーム体１０１の内側に収容している基礎枠体１００を、作業現場まで移動させる。
このとき、一対の第一支柱１０と一対の第二支柱２０の下端部に車輪６０が取り付けられているので、基礎枠体１００を好適に作業現場まで移動させることができる。
特に、この基礎枠体１００は幅方向に小さな形体に変形しているので、例えば、駅のホームに進入するための改札口のような狭隘な通路であっても好適に移動できる。
このように、幅方向に小さな形体に変形した基礎枠体１００であれば、通路が狭隘であっても複数のパーツＰを積んで移動することができるので、運搬性に優れている。
【００２８】
次いで、所定の作業現場に着いたら、図４に示すように、フレーム体１０１に収容していた複数のパーツＰを取り出して、基礎枠体１００の近傍に置いておく。（図４中、フレーム体１０１から取り出したパーツＰの図示は省略。）
そして、ベルト材Ｂを外した後（図３参照）、図２に示すように、一対の第三支柱３０が第１の配置にあるように基礎枠体１００を変形する。このとき、第二支柱２０の下端部に取り付けられていた車輪６０を、第三支柱３０の下端部に付け替える。こうすることで、幅方向に大きな形体に変形した基礎枠体１００の移動を好適に行うことができる。
こうして、基礎枠体１００の設置箇所を調整した後、車輪６０のストッパーをかけて基礎枠体１００を所定箇所に据え付ける。
【００２９】
次いで、基礎枠体１００に複数のパーツＰを取り付け、それらパーツを接続していき、図１に示すように、基礎枠体１００の上に複数段の枠体２００，３００，４００を組み付けて、移動式足場台１を組み立てる。
なお、前述したように、移動式足場台１の姿勢を安定させるため、従来公知のアウトリガーを取り付けて使用することが好ましい。
【００３０】
そして、移動式足場台１を使用する所定の作業が終了したら、各枠体２００，３００，４００を複数のパーツＰに分解するように基礎枠体１００から取り外し、一対の第三支柱３０が第２の配置にあるように変形した基礎枠体１００のフレーム体１０１に複数のパーツＰを収容する。
その後、複数のパーツＰを積んだ基礎枠体１００を所定の収納庫まで移動させて、次回使用するまで収納しておく。
【００３１】
以上のように、本実施形態の移動式足場台１の基礎枠体１００は、図２に示した幅方向に大きな形状と、図３に示した幅方向に小さな形状とに変形することができる。
特に、幅方向に小さな形体に変形した基礎枠体１００のフレーム体１０１の内側に枠体２００，３００，４００を分解した複数のパーツＰを収容することができるので、複数のパーツＰを積んだ基礎枠体１００を作業現場まで移動させることができる。このとき、基礎枠体１００は幅方向に小さく変形しているので、狭隘な通路であっても好適に移動することができる。
そして、幅方向に大きな形体に変形した基礎枠体１００の上に複数段の枠体２００，３００，４００を組み付けることができるので、天井の内装工事などの高所作業を行う現場で基礎枠体１００の上に複数段の枠体２００，３００，４００を組み付け、移動式足場台１を組み立てて使用することができる。
【００３２】
このように、本実施形態の移動式足場台１は、幅方向に大きな形状と小さな形状に変形することができる基礎枠体１００を備えており、幅方向に小さく変形した基礎枠体１００に枠体２００，３００，４００を分解した複数のパーツＰを収容して所定の作業現場まで移動させることができ、その作業現場で幅方向に大きく変形した基礎枠体１００の上に枠体（２００，３００，４００）のパーツＰを組み付けて移動式足場台１を組み立てることができるので、運搬性に優れた移動式足場台１として好適に使用することができる。
【００３３】
また、幅方向に小さな形体に変形した基礎枠体１００のフレーム体１０１の内側に枠体２００，３００，４００を分解した複数のパーツＰを収容した状態で、移動式足場台１を保管することができる。
つまり、収納スペースが比較的狭くても収納することができる移動式足場台１は、収納性にも優れている。
【００３４】
なお、以上の実施の形態においては、基礎枠体１００を変形する度に４つの車輪６０を付け替えるようにしたが、本発明はこれに限定されるものではなく、６つの車輪６０を常に第一支柱１０と第二支柱２０と第三支柱３０に取り付けていてもよい。
【００３５】
また、以上の実施の形態においては、基礎枠体１００の底板とするように床板材９０を取り付けて使用したが、本発明はこれに限定されるものではなく、底板に加えて、側壁板として側面部に床板材９０を取り付けて使用してもよい。
【００３６】
また、その他、具体的な細部構造等についても適宜に変更可能であることは勿論である。
【符号の説明】
【００３７】
１      移動式足場台
１０    第一支柱
２０    第二支柱
１１    長尺部材
１２ａ  短尺部材
１２ｂ  短尺部材
２１    長尺部材
３０    第三支柱
３１    可動部材
４０    係止部材
５０    ブレース材
６０    車輪
９０    床板材
１００  基礎枠体
１０１  フレーム体
２００、３００、４００  枠体
Ｂ      ベルト材
Ｐ      パーツ
【図１】
0006689141.tif 000002
【図２】
0006689141.tif 000003
【図３】
0006689141.tif 000004
【図４】
0006689141.tif 000005
【図５】
0006689141.tif 000006